(57)【要約】【課題】  光源の点滅及び音の出力に要する電池の放電電流のピーク値をより低減できる駆動装置、非常用装置、及びプログラムを提供する。【解決手段】  駆動装置１は、電池７０を電源として光源５０を点滅させる点滅回路１１と、電池７０を電源としてスピーカ２１から音を間欠的に出力させる音響回路１２と、点滅回路１１及び音響回路１２をそれぞれ制御して、光源５０が点灯状態になる第１出力期間とスピーカ２１が対象音を出力する第２出力期間とを互いにずらす制御回路１３と、を備える。【選択図】図３
2020004623.tif 000002
【特許請求の範囲】
【請求項１】
電池を電源として光源を点滅させる点滅回路と、
前記電池を電源としてスピーカから対象音を間欠的に出力させる音響回路と、
前記点滅回路及び前記音響回路をそれぞれ制御して、前記光源が点灯状態になる第１出力期間と前記スピーカが前記対象音を出力する第２出力期間とを互いにずらす制御回路と、を備える
駆動装置。
【請求項２】
前記制御回路は、前記第１出力期間と前記第２出力期間とを互いにずらすことで、前記光源の点灯によって前記電池の放電電流のピーク値が発生するタイミングと前記スピーカが前記対象音を出力することによって前記電池の放電電流のピーク値が発生するタイミングとを互いにずらす
請求項１記載の駆動装置。
【請求項３】
前記制御回路は、前記光源の点滅間隔と前記スピーカが前記対象音を出力する時間間隔との少なくとも一方を可変とすることで、前記第１出力期間と前記第２出力期間とを互いにずらす
請求項１または２記載の駆動装置。
【請求項４】
予め作成された前記光源の点滅パターン及び前記対象音の出力パターンの各データを記憶した記憶部をさらに備え、
前記制御回路は、前記光源の点滅パターンにしたがって前記光源が点滅するように前記点滅回路を制御し、前記対象音の出力パターンにしたがって前記対象音が間欠的に出力するように前記音響回路を制御する
請求項１または２記載の駆動装置。
【請求項５】
前記制御回路は、前記光源の点滅動作が予め決められた第１要件を満たし、かつ前記対象音の出力動作が予め決められた第２要件を満たすように、前記第１出力期間と前記第２出力期間とをそれぞれ設定する
請求項１乃至４のいずれか一項に記載の駆動装置。
【請求項６】
前記点滅回路及び前記音響回路を動作させるイベントが発生してから所定時間が経過するまでの期間が第１動作期間であり、前記第１動作期間以降の所定期間が第２動作期間であり、
前記制御回路は、
前記第１動作期間では、前記光源の点滅動作が前記第１要件を満たし、かつ前記対象音の出力動作が前記第２要件を満たすように、前記第１出力期間と前記第２出力期間とを互いにずらし、
前記第２動作期間では、前記第１出力期間と前記第２出力期間とを互いにずらす
請求項５記載の駆動装置。
【請求項７】
前記制御回路は、前記光源の点滅動作が前記第１要件を満たし、かつ前記対象音の出力動作が前記第２要件を満たすように、前記第１出力期間と前記第２出力期間とを互いにずらすことができない場合、前記第１出力期間と前記第２出力期間との重複期間の少なくとも一部では、前記対象音の音圧レベルを低下させる
請求項５または６記載の駆動装置。
【請求項８】
請求項１乃至７のいずれか一項に記載の駆動装置と、
電池と、
光源と、
スピーカと、
前記駆動装置、前記電池、前記光源、及び前記スピーカのうち少なくとも前記駆動装置を収容する筐体と、を備える
非常用装置。
【請求項９】
電池を電源として光源を点滅させ、スピーカから対象音を間欠的に出力させる駆動装置が有するコンピュータが実行するプログラムであって、
前記光源が点灯状態になる第１出力期間と前記スピーカが前記対象音を出力する第２出力期間とを互いにずらす機能を前記コンピュータに実現させる
プログラム。
【発明の詳細な説明】
【技術分野】
【０００１】
本開示は、一般に駆動装置、非常用装置、及びプログラムに関する。
【背景技術】
【０００２】
従来例として、特許文献１記載の非常用装置を例示する。特許文献１記載の非常用装置（以下、従来例という。）は、光源の点滅とスピーカから出力される音声とによって視覚的及び聴覚的に避難誘導を行う機能を有する、いわゆる誘導音付誘導灯である。
【０００３】
従来例は、点滅用の光源（キセノンランプ）と、光源用の二次電池から給電されて光源を点滅させる点滅ブロックと、誘導音用の二次電池から給電される電力でスピーカを駆動することにより誘導音を出力させる音声ブロックとを備えている。なお、音声ブロックは、外部から入力する非常信号に応じて誘導音をスピーカから出力する。
【先行技術文献】
【特許文献】
【０００４】
【特許文献１】特開２００７−６６７３８号公報
【発明の概要】
【発明が解決しようとする課題】
【０００５】
従来例は、非常信号を受けたときに二次電池（電池）を電源として点滅ブロック及び音声ブロックを駆動して、光源を点滅させ、かつ誘導音を出力する。そして、このような装置に対して、光源の点滅及び誘導音の出力に要する二次電池の放電電流を低減することが求められている。
【０００６】
本開示の目的は、光源の点滅及び音の出力に要する電池の放電電流のピーク値をより低減できる駆動装置、非常用装置、及びプログラムを提供することにある。
【課題を解決するための手段】
【０００７】
本開示の一態様に係る駆動装置は、電池を電源として光源を点滅させる点滅回路と、前記電池を電源としてスピーカから対象音を間欠的に出力させる音響回路と、制御回路と、を備える。前記制御回路は、前記点滅回路及び前記音響回路をそれぞれ制御して、前記光源が点灯状態になる第１出力期間と前記スピーカが前記対象音を出力する第２出力期間とを互いにずらす。
【０００８】
本開示の一態様に係る非常用装置は、上述の駆動装置と、電池と、光源と、スピーカと、前記駆動装置、前記電池、前記光源、及び前記スピーカのうち少なくとも前記駆動装置を収容する筐体と、を備える。
【０００９】
本開示の一態様に係るプログラムは、電池を電源として光源を点滅させ、スピーカから対象音を間欠的に出力させる駆動装置が有するコンピュータが実行する。前記プログラムは、前記光源が点灯状態になる第１出力期間と前記スピーカが前記対象音を出力する第２出力期間とを互いにずらす機能を前記コンピュータに実現させる。
【発明の効果】
【００１０】
以上説明したように、本開示は、光源の点滅及び音の出力に要する電池の放電電流のピーク値をより低減できるという効果がある。
【図面の簡単な説明】
【００１１】
【図１】図１は、本開示の一実施形態に係る駆動装置を備えた非常用装置の斜視図である。
【図２】図２は、同上の非常用装置の分解斜視図である。
【図３】図３は、同上の駆動装置のブロック図を示す。
【図４】図４は、同上の駆動装置の動作を示すタイムチャートである。
【図５】図５は、同上の駆動装置の別の動作を示すタイムチャートである。
【発明を実施するための形態】
【００１２】
以下の実施形態は、一般に駆動装置、非常用装置、及びプログラムに関する。より詳細に、以下の実施形態は、電池を電源として、光源を点滅させ、かつスピーカから音を間欠的に出力させる駆動装置、非常用装置、及びプログラムに関する。
【００１３】
以下、本実施形態の駆動装置１、及び非常用装置３について、図１−図４を参照して詳細に説明する。ただし、下記の実施形態において説明する各図は模式的な図であり、各構成要素の大きさや厚さそれぞれの比が必ずしも実際の寸法比を反映しているとは限らない。
【００１４】
本実施形態の非常用装置３は、建物の避難口を表示するための誘導灯器具として実現されている。非常用装置３は、所定のイベント（停電、火災、地震などの非常事態）が発生した非常時に誘導灯信号装置から誘導音指示信号を受けた場合に誘導効果を高めるために、スピーカ２１から誘導音（例えば、警報音及び音声）を出力させるように構成されている。また、非常用装置３は、所定のイベントが発生した非常時に誘導灯信号装置から点滅指示信号を受けた場合に誘導効果を高めるために光源を点滅させるように構成されている。なお、以下の説明においては、特に断りのない限り、図１に矢印で示す向きにおいて、非常用装置３の上下、左右及び前後の各方向を規定する。
【００１５】
非常用装置３は、図１及び図２に示すように、表示ユニット４、点滅光源ユニット５、駆動ユニット６、第２蓄電池ブロック７、及び筐体３０などを有している。
【００１６】
筐体３０は、それぞれ長方形の前壁３１、後壁３２及び４つの側壁３３を有する直方体状に形成されている。ただし、本実施形態における筐体３０は、本体３００とプレート３０１で構成されている。本体３００は、前面が開放された箱形に形成されており、筐体３０の後壁３２と４つの側壁３３を構成している。上側の側壁３３には一対の穴３０３が貫通している（図２参照）。
【００１７】
プレート３０１は、四角形の平板状に形成された主部３０１０と、主部３０１０の４つの辺から後方へ立ち上がる４つの側部３０１１とを有している。プレート３０１の主部３０１０は筐体３０の前壁３１を構成している。プレート３０１の４つの側部３０１１は筐体３０の４つの側壁３３の前端部分を構成している。プレート３０１は、一対の取付ばね３０２によって着脱可能に本体３００に取り付けられる。本体３００の前面にプレート３０１が取り付けられることによって筐体３０が構成される。なお、筐体３０（本体３００及びプレート３０１）は、鋼板などの不燃物で形成されている。
【００１８】
筐体３０の内底面（後壁３２の前面）には取付台３５がねじ止めされている。取付台３５は、合成樹脂材料によって前面と下面が開放された箱形に形成されている。表示ユニット４及び駆動ユニット６は取付台３５に取り付けられた状態で筐体３０内に収容されている。
【００１９】
表示ユニット４は、表示板４０と、光源ブロック４１と、点灯ブロック４２と、第１蓄電池ブロック４３とを有している。
【００２０】
表示板４０は、アクリル樹脂又はポリカーボネート樹脂などの透光性を有する合成樹脂材料によって四角形の板状に形成されている。ただし、表示板４０は、前後方向の厚みを上端から下端に向かって徐々に小さくするように形成されている。表示板４０の前面には避難口を示すピクトグラムが描かれている。
【００２１】
光源ブロック４１は、１つ以上のＬＥＤ（Light Emitting Diode）と、ＬＥＤから放射される光を導光する導光部材と、ＬＥＤ及び導光部材を収容するケース４１０とを備える。ケース４１０の下面には導光部材から出射する光をケース４１０の外に放射するための開口が設けられている。光源ブロック４１は、図２に示すように、取付台３５の上部に取り付けられる。また、表示板４０は、上側面を光源ブロック４１のケース４１０の開口に対向させるようにして取付台３５に取り付けられる。
【００２２】
第１蓄電池ブロック４３は、電気絶縁性を有する合成樹脂製の電池ケースに複数の電池セルを収容して構成されている。電池セルは、ニッケル水素電池のような蓄電池である。第１蓄電池ブロック４３は、取付台３５の右端に収容されている（図２参照）。
【００２３】
点灯ブロック４２は、常用点灯回路と、第１充電回路と、非常用点灯回路と、第１制御回路とを有している。常用点灯回路は、外部電源（例えば、商用の電力系統）から供給される電力でＬＥＤを点灯させる。第１充電回路は、外部電源から供給される電力で第１蓄電池ブロック４３の電池セルを充電する。非常用点灯回路は、外部電源の電力供給が停止した場合、第１蓄電池ブロック４３から放電される電力でＬＥＤを点灯させる。第１制御回路は、外部電源の給電状況を監視し、外部電源から電力供給されているときは常用点灯回路と第１充電回路を動作させるとともに非常用点灯回路を停止させる。また、第１制御回路は、外部電源の電力供給が停止（停電）したときは常用点灯回路と第１充電回路を停止させるとともに非常用点灯回路を動作させる。
【００２４】
さらに、第１制御回路は、第１充電回路を動作させているときに第１表示素子を発光させて充電中であることを表示する。第１制御回路は、第１点検スイッチがオンされている間、常用点灯回路及び第１充電回路を強制的に停止させるとともに非常用点灯回路を強制的に動作させて光源ブロック４１のＬＥＤを点灯させる。第１制御回路は、自己点検スイッチが所定時間（例えば、２秒）以上オンされると自己点検動作を行う。また、第１制御回路は、受光素子において赤外線を通信媒体とする制御信号を受信した場合も自己点検動作を行う。自己点検動作は、規定時間（２０分又は６０分）が経過するまで常用点灯回路及び第１充電回路を強制的に停止させるとともに非常用点灯回路を強制的に動作させて光源ブロック４１のＬＥＤを点灯させる動作である。そして、第１制御回路は、規定時間が経過したら非常用点灯回路を停止させて非常用点灯回路の入力電圧、すなわち、第１蓄電池ブロック４３の電池電圧を測定し、電池電圧の測定値に基づいて第１蓄電池ブロック４３の良否を判定する。第１制御回路は、第１蓄電池ブロック４３を良好と判定した場合に第１表示素子を連続して発光させ、第１蓄電池ブロック４３を不良と判定した場合に第１表示素子を間欠的に発光（点滅）させる。
【００２５】
表示ユニット４は、筐体３０の前壁３１（プレート３０１の主部３０１０）に設けられた四角形状の窓３１０から表示板４０の前面を露出させるようにして筐体３０内に収容される。表示ユニット４は、光源ブロック４１から表示板４０の上面に光を入射させ、表示板４０全体を発光させることにより、表示板４０の前面の輝度を高めてピクトグラムの視認性を高めている。
【００２６】
点滅光源ユニット５は、ＬＥＤからなる光源５０（図３参照）と、光源５０から放射される光の配光を制御するレンズ５５と、光源５０及びレンズ５５が取り付けられる取付部材５６とを有している。点滅光源ユニット５は、筐体３０の内底面（後壁３２の前面）における下端部分に取付部材５６が固定されることによって筐体３０内に収容されている（図２参照）。ただし、レンズ５５は、筐体３０の下側の側壁３３における長手方向（左右方向）の中央に設けられた挿通穴３４を通して筐体３０の外に突出する。
【００２７】
また、取付部材５６には点滅光源ユニット５だけでなく、第１スイッチブロック５７及び第２スイッチブロック５８が取り付けられている。
【００２８】
第１スイッチブロック５７は、上述した第１点検スイッチ、自己点検スイッチ、第１表示素子、受光素子が実装されたプリント配線板と、プリント配線板を収容する第１ケースと、第１点検スイッチを操作するための第１押釦５７１とを備える。第１ケースは、合成樹脂材料によって直方体形状の箱形に形成されている。第１ケースの下面には、第１押釦５７１が収容される第１操作穴と、第１操作穴よりも径の小さい第２操作穴と、第１表示穴と、第１操作穴とほぼ同径の受光穴とが設けられている。
【００２９】
第１押釦５７１は円柱状に形成されており、上下方向に移動可能な状態で第１操作穴内に収容されている。第１ケース内において第１操作穴と上下方向に対向する位置に、押釦スイッチからなる第１点検スイッチが配置されている。したがって、第１ケースの外から押された第１押釦５７１が第１ケース内に移動し、第１押釦５７１の上端で第１点検スイッチが押操作されてオンする。第１ケース内において第２操作穴と上下方向に対向する位置に、押釦スイッチからなる自己点検スイッチが配置されている。すなわち、自己点検スイッチは、第２操作穴を通して第１ケースの外から挿入される細い工具（例えば、ドライバなど）の先端で押操作されてオンする。第１ケース内において第１表示穴と上下方向に対向する位置に第１表示素子が配置されている。すなわち、第１表示素子の発する光は第１表示穴を通して第１ケースの外に放射される。第１ケース内において受光穴と上下方向に対向する位置に受光素子が配置されている。すなわち、自己点検用のリモートコントローラから送信される制御信号が受光穴を通して受光素子で受光（受信）される。なお、第１点検スイッチ、自己点検スイッチ、第１表示素子及び受光素子は、それぞれ複数の電線によって点灯ブロック４２と電気的に接続されている。
【００３０】
第２スイッチブロック５８は、第２点検スイッチ及び第２表示素子が実装されたプリント配線板と、プリント配線板を収容する第２ケース５８０と、第２点検スイッチを操作するための第２押釦５８１とを備える。第２ケース５８０は、合成樹脂材料によって直方体形状の箱形に形成されている。
【００３１】
第２ケース５８０の下面には、第２押釦５８１が収容される第３操作穴と、第３操作穴よりも径の小さい第２表示穴とが設けられている。第２押釦５８１は円柱状に形成されており、上下方向に移動可能な状態で第３操作穴内に収容されている。第２ケース５８０内において第３操作穴と上下方向に対向する位置に、押釦スイッチからなる第２点検スイッチが配置されている。したがって、第２ケース５８０の外から押された第２押釦５８１が第２ケース５８０内に移動し、第２押釦５８１の上端で第２点検スイッチが押操作されてオンする。第２ケース５８０内において第２表示穴と上下方向に対向する位置に第２表示素子が配置されている。すなわち、第２表示素子の発する光は第２表示穴を通して第２ケース５８０の外に放射される。
【００３２】
筐体３０の下側の側壁３３に、第１スイッチブロック５７の第１ケースの第１操作穴、第２操作穴、第１表示穴及び受光穴、第２スイッチブロック５８の第２ケース５８０の第３操作穴及び第２表示穴と各々一対一に対応した複数の穴３３１〜３３６が設けられている。穴３３１は、第１操作穴と対向している。したがって、第１押釦５７１の先端部分が穴３３１を通して筐体３０の外に突出する。穴３３２は第２操作穴と対向している。穴３３３は第１表示穴と対向している。穴３３４は受光穴と対向している。穴３３５は第３操作穴と対向している。したがって、第２押釦５８１の先端部分が穴３３５を通して筐体３０の外に突出する。穴３３６は第２表示穴と対向している。
【００３３】
第２蓄電池ブロック７は、複数本の乾電池型の電池セルが熱収縮チューブに包まれて構成されている。各電池セルは、ニッケル水素電池のような蓄電池である。第２蓄電池ブロック７は、筐体３０内において取付台３５の左隣に収容されている（図２参照）。また、筐体３０内における第２蓄電池ブロック７の上方に、スピーカ２１が収容されている。筐体３０の前壁３１（プレート３０１の主部３０１０）における窓３１０の左側に、スピーカ２１用の窓３１１が開口している。この窓３１１は、カバー３１２で塞がれている。ただし、カバー３１２は、カバー３１２の厚み方向に貫通する多数の穴を有している。つまり、スピーカ２１から出力される誘導音がカバー３１２を貫通する多数の穴を通して筐体３０の外に放出される。
【００３４】
駆動ユニット６は、駆動装置１を有する。駆動ユニット６は、更に、点滅回路１１及び音響回路１２に電力を供給するための第２蓄電池ブロック７を充電する第２充電回路と、第２充電回路を制御する第２制御回路とを有する。第２充電回路は、外部電源から供給される電力で第２蓄電池ブロック７を充電する。さらに、第２制御回路は、第２充電回路を動作させているときに第２表示素子を発光させて充電中であることを表示する。第２点検スイッチがオンされている間、第２制御回路は、第２充電回路を強制的に停止させ、点滅回路１１は、第２蓄電池ブロック７から供給される電力で光源５０を発光させる。
【００３５】
非常用装置３は、壁や天井９などの造営材に取り付けられる。例えば、天井９に上端部分が埋め込まれている２本の吊りボルト９１の各々が、非常用装置３の筐体３０の上方の側壁３３に設けられている一対の穴３０３のそれぞれに挿通され、各吊りボルト９１にナット（図示せず）が締め付けられる。このように非常用装置３は、一対の吊りボルト９１に筐体３０が固定されることで天井９に設置される。
【００３６】
続いて、本実施形態の駆動装置１について、図３及び図４を参照して詳細に説明する。
【００３７】
駆動装置１は、図３に示すように、点滅回路１１と、音響回路１２と、制御回路１３とを備える。停電を伴う非常時において、点滅回路１１、音響回路１２、及び制御回路１３は、第２蓄電池ブロック７の電池７０を電源として動作する。
【００３８】
点滅回路１１は、電力変換回路として昇圧チョッパ回路を有するコンバータであり、第２蓄電池ブロック７の電池７０から直流の電池電圧Ｖｉを入力され、電池７０から第１放電電流Ｉａを供給される。点滅回路１１は、間欠的に流れる第１負荷電流Ｉｂを光源５０に出力することで、光源５０を点滅させることができる。点滅回路１１は、光源５０に第１負荷電流Ｉｂを流す場合、第１負荷電流Ｉｂの瞬時値が目標電流に一致するように（近付くように）、定電流制御を行う。なお、点滅回路１１が電力変換回路として昇圧チョッパ回路を有することは必須ではない。例えば、電池７０の構成または電池電圧Ｖｉに応じて、点滅回路１１は、電力変換回路として昇降圧チョッパ回路または降圧チョッパ回路などの他の回路を有していてもよい。
【００３９】
点滅回路１１は、点滅回路１１の出力段にスイッチを有しており、スイッチが導通及び遮断を交互に繰り返すことで、点滅回路１１の出力がオンオフされる。点滅回路１１の出力オン時には第１負荷電流Ｉｂが点滅回路１１から出力され、点滅回路１１の出力オフ時には第１負荷電流Ｉｂが点滅回路１１から出力されない。すなわち、第１負荷電流Ｉｂが点滅回路１１から間欠的に出力される。光源５０は、第１負荷電流Ｉｂが間欠的に供給されることで点滅する。本実施形態では、非常時において光源５０を点滅させることで、人を誘導する効果を高めている。ここで、光源５０の点滅中においては、光源５０が点灯している期間よりも、光源５０が消灯している期間が長い方が好ましい。
【００４０】
制御回路１３は、光源５０に対する点滅回路１１の出力をオンオフする点滅制御を行うことで、光源５０を点滅させることができる。
【００４１】
音響回路１２は、電源回路１２１と、アンプ回路１２２とを備える。
【００４２】
電源回路１２１は、昇圧チョッパ回路を有するコンバータであり、第２蓄電池ブロック７の電池７０から直流の電池電圧Ｖｉを入力され、電池７０から第２放電電流Ｉｃを供給される。そして、電源回路１２１は、電池電圧Ｖｉを昇圧し、当該昇圧した電圧を直流の駆動電圧Ｖｅとしてアンプ回路１２２へ出力するように構成されている。すなわち、電源回路１２１は、電池電圧Ｖｉをアンプ回路１２２の動作に適した駆動電圧Ｖｅに電力変換し、アンプ回路１２２にスピーカ２１を駆動するための電力を供給する。なお、電源回路１２１が電力変換回路として昇圧チョッパ回路を有することは必須ではない。例えば、電池７０の構成または電池電圧Ｖｉに応じて、電源回路１２１は、電力変換回路として昇降圧チョッパ回路または降圧チョッパ回路などの他の回路を有していてもよい。
【００４３】
アンプ回路１２２は、例えば、音声アンプ又はスピーカアンプで構成される。アンプ回路１２２は、駆動電圧Ｖｅを入力され、スピーカ２１から誘導音を出力させるための音響信号として、第２負荷電流Ｉｄをスピーカ２１へ供給する。すなわち、電源回路１２１から駆動電圧Ｖｅを入力されるアンプ回路１２２は、電池７０を電源としてスピーカ２１を駆動し、スピーカ２１から誘導音を出力させる。
【００４４】
制御回路１３は、スピーカ２１に対するアンプ回路１２２の出力を制御して、第２負荷電流Ｉｄの大きさを調整することで、スピーカ２１から出力される誘導音の音圧レベルを制御できるように構成されている。第２負荷電流Ｉｄの値が小さくなると、音圧レベルは小さくなり、第２負荷電流Ｉｄの値が大きくなると、音圧レベルは大きくなる。
【００４５】
制御回路１３は、コンピュータを備えている。このコンピュータがプログラムを実行することによって、本開示における制御回路１３の一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４６】
本実施形態の制御回路１３は、コンピュータを具備するマイクロコントローラ１３１と、音声合成ＬＳＩを具備する音声回路１３２とを備える。なお、マイクロコントローラ１３１、及び音声回路１３２がそれぞれ単独の半導体集積回路で分離して構成される形態と、マイクロコントローラ１３１、及び音声回路１３２が１つの半導体集積回路で一体に構成される形態とのいずれでもよい。
【００４７】
マイクロコントローラ１３１は、誘導灯信号装置から点滅指示信号を受け取ると点滅制御信号Ｙ１を生成し、点滅制御信号Ｙ１を点滅回路１１へ出力する。点滅制御信号Ｙ１は、出力オン及び出力オフを点滅回路１１に指示する信号である。点滅回路１１は、出力オンの指示があった場合に、出力段のスイッチをオンして第１負荷電流Ｉｂを出力し、出力オフの指示があった場合に、出力段のスイッチをオフして第１負荷電流Ｉｂを出力しないことで、第１負荷電流Ｉｂを間欠的に出力する。マイクロコントローラ１３１は、時間を計測するためのタイマ機能を有しており、第１負荷電流Ｉｂを出力する点灯期間、及び第１負荷電流Ｉｂを出力しない消灯期間の各時間長さを制御することができる。
【００４８】
また、マイクロコントローラ１３１は、誘導灯信号装置から誘導音指示信号を受け取ると音制御信号Ｙ２を生成し、音制御信号Ｙ２を音声回路１３２へ出力する。音制御信号Ｙ２は、音声回路１３２に誘導音の出力動作の内容を指示するための信号であり、この場合、音制御信号Ｙ２は、音声回路１３２に誘導音の出力の開始を指示する。
【００４９】
音声回路１３２は、音制御信号Ｙ２によって誘導音の出力の開始を指示されると、音声合成処理によって生成された音響信号Ｙ３をアンプ回路１２２へ出力する。音響信号Ｙ３は、予め決められている誘導音の音響信号である。アンプ回路１２２は、音声回路１３２から受け取った音響信号Ｙ３を、電源回路１２１から供給される駆動電力を用いて増幅する。アンプ回路１２２は、増幅した音響信号を第２負荷電流Ｉｄとしてスピーカ２１に供給することで、スピーカ２１から誘導音を出力させるように構成されている。
【００５０】
ここで、アンプ回路１２２の増幅率が予め決められた所定値になるように、アンプ回路１２２は構成されている。そして、音響信号Ｙ３の信号レベルが大きいほど、第２負荷電流Ｉｄの電流値はより大きくなり、誘導音の音圧レベルがより大きくなる。また、音響信号Ｙ３の信号レベルが小さいほど、第２負荷電流Ｉｄの電流値はより小さくなり、誘導音の音圧レベルがより小さくなる。
【００５１】
そして、本実施形態の音制御信号Ｙ２は、誘導音の出力動作の内容として、誘導音の音圧レベルの指示値を音声回路１３２に伝えることができる。そして、音声回路１３２は、音圧レベルの指示値にしたがって音響信号Ｙ３の信号レベルを設定することで、第２負荷電流Ｉｄの電流値を調整できる。音圧レベルの指示値が大きいほど、音響信号Ｙ３の信号レベルがより大きくなり、第２負荷電流Ｉｄの電流値がより大きくなって、スピーカ２１から出力される誘導音の音圧レベルはより大きくなる。音圧レベルの指示値が小さいほど、音響信号Ｙ３の信号レベルがより小さくなり、第２負荷電流Ｉｄの電流値がより小さくなって、スピーカ２１から出力される誘導音の音圧レベルはより小さくなる。なお、音響信号Ｙ３の波形、信号レベル、周波数、及び音響信号Ｙ３の出力期間は、第２負荷電流Ｉｄの波形、電流値、周波数、及び第２負荷電流Ｉｄの出力期間にそれぞれ対応する。
【００５２】
図４は、駆動装置１における各波形を示す。図４の１段目は第１負荷電流Ｉｂの波形を示し、図４の２段目は第１放電電流Ｉａの波形を示す。図４の３段目は第２負荷電流Ｉｄの波形を示し、図４の４段目は第２放電電流Ｉｃの波形を示す。図４の５段目は総放電電流Ｉｉの波形を示す。総放電電流Ｉｉは、第１放電電流Ｉａと第２放電電流Ｉｃとの和であり、電池７０から出力される放電電流の和である（図３参照）。
【００５３】
時刻ｔ０に所定のイベントが発生して通常時から非常時に移行すると、マイクロコントローラ１３１は、誘導灯信号装置からの点滅指示信号を受けて、光源５０の点滅制御を開始し、誘導灯信号装置からの誘導音指示信号を受けて、誘導音の出力制御を開始する。
【００５４】
一般に、非常時の光源５０の動作内容は、法令（法律、及び規則など）及び規格などによって決められている。例えば、日本の消防法では、誘導灯に対して、非常時に２０分間以上あるいは６０分間以上の定格時間を満たすことが求められている。また、日本の建築基準法では、非常用照明器具に対して、非常時に３０分間以上の定格時間を満たすことが求められている。更に、ＪＩＬ５５０２（一般社団法人日本照明工業会によって制定された規格）によると、点滅型の非常用照明器具に対して、４５４−５４５〔ｍｓ〕毎に、５０±５〔ｍｓ〕の期間だけ光源５０を発光させることが求められている。この場合、図４において、光源５０が点灯状態になる第１出力期間Ｐ１は５０±５〔ｍｓ〕の時間長さであり、点滅間隔Ｔ１は４５４−５４５〔ｍｓ〕になる。なお、第１出力期間Ｐ１及び点滅間隔Ｔ１の各時間長さは、特定の値または範囲に限定されず、上記の各値または各範囲以外であってもよい。
【００５５】
上述のように、駆動装置１には、非常時において、点滅制御を開始してから予め決められた第１定格時間（例えば６０分または３０分）が経過するまで、予め決められた点滅間隔Ｔ１で予め決められた閃光の時間幅（第１出力期間Ｐ１）で光源５０を点滅させることが求められている。すなわち、少なくとも点滅制御が開始されてから第１定格時間が経過するまでは、第１出力期間Ｐ１及び点滅間隔Ｔ１は、規格及び法令などによって求められる第１要件（規定値など）を満たす必要がある。なお、第１出力期間Ｐ１は、第１負荷電流Ｉｂによって光源５０が点灯している期間であり、第１出力期間Ｐ１以外の期間は、光源５０が消灯している期間である。
【００５６】
第１負荷電流Ｉｂは、光源５０の点灯時に流れる第１負荷電流Ｉｂ１を含み、第１負荷電流Ｉｂ１のピーク値Ｉｐ１は、光源５０のピーク光度が規格及び法令などによって求められる値を満たすように設定されている。また、第１放電電流Ｉａは、光源５０の点灯時に流れる第１放電電流Ｉａ１を含んでいる。すなわち、第１出力期間Ｐ１に第１負荷電流Ｉｂ１及び第１放電電流Ｉａ１が生じ、第１負荷電流Ｉｂ１が流れる期間、及び第１放電電流Ｉａ１が流れる期間は、それぞれ第１出力期間Ｐ１に等しく（ほぼ等しく）なる。また、第１負荷電流Ｉｂ１の時間間隔、及び第１放電電流Ｉａ１の時間間隔は、それぞれ点滅間隔Ｔ１に等しく（ほぼ等しく）なる。なお、図４では、２つの第１負荷電流Ｉｂ１を区別するために、Ｉｂ１（１）、Ｉｂ１（２）の各符号を付している。また、図４では、２つの第１放電電流Ｉａ１を区別するために、Ｉａ１（１）、Ｉａ１（２）の各符号を付している。
【００５７】
また、時刻ｔ０に所定のイベントが発生して通常時から非常時に移行すると、マイクロコントローラ１３１は、誘導灯信号装置から誘導音指示信号を受けて、誘導音の出力制御を開始する。
【００５８】
一般に、非常時の誘導音の出力内容は、規格、又は法令（法律、及び規則など）などによって決められている。例えば、ＪＩＬ５５０２によると、誘導音は、２回続けて出力される警報音（１回目の警報音及び２回目の警報音）と、２回続けて出力される音声（１回目の音声及び２回目の音声）とで構成される。警報音は、例えば「ピンポーン」という音であり、音声は、例えば「非常口はこちらです」というメッセージで構成される。そして、誘導音装置は、火災が発生した非常時に火災信号を誘導音指示信号として受けると、警報音を２回出力した後に音声を２回出力する１周期（サイクル）の誘導音の出力動作を、定格時間として規定されている６０分間継続して繰り返すことが求められている。さらに、ＪＩＬ５５０２は、６０分間継続して実行される誘導音の出力動作について、誘導音の音圧レベル、警報音の出力期間の時間長さ、及び音声の出力期間の時間長さがそれぞれの規定値を満たすことを求めている。さらに、ＪＩＬ５５０２は、６０分間継続して実行される誘導音の出力動作について、１回目の警報音と２回目の警報音の時間間隔、２回目の警報音と１回目の音声の時間間隔、１回目の音声と２回目の音声の時間間隔、及び２回目の音声と１回目の警報音の時間間隔がそれぞれの規定値を満たすことを求めている。
【００５９】
上述のように、駆動装置１には、非常時において、誘導音の出力制御を開始してから予め決められた第２定格時間（例えば６０分）が経過するまで、規格又は法令によって求められている第２要件（規定値など）を満たす必要がある。すなわち、少なくとも誘導音の出力動作が開始されてから第２定格時間が経過するまでは、誘導音の出力動作は各規定値を満たさなければならない。なお、第２定格時間は、６０分以外の所定時間であってもよく、特定の値に限定されない。
【００６０】
そして、本実施形態の音制御信号Ｙ２は、誘導音の出力動作の内容として、警報音及び音声の各出力期間及び各時間間隔のそれぞれの指示値を音声回路１３２に伝えることができる。そして、音声回路１３２が、警報音及び音声の各出力期間及び各時間間隔のそれぞれの指示値にしたがって音響信号Ｙ３を生成することで、誘導音の出力制御が、各指示値に基づいて行われる。
【００６１】
第２負荷電流Ｉｄは、警報音の出力時に流れる第２負荷電流Ｉｄ１、及び音声の出力時に流れる第２負荷電流Ｉｄ２を含んでいる。第２負荷電流Ｉｄ１のピーク値Ｉｐ３は、第２負荷電流Ｉｄ２のピーク値Ｉｐ４より小さい。そして、第２負荷電流Ｉｄ１が２回続けてスピーカ２１を流れた後、第２負荷電流Ｉｄ２が２回続けてスピーカ２１を流れることで、１周期の誘導音の出力動作が行われる。以降、音声を対象音とし、音声の出力期間（第２負荷電流Ｉｄ２の出力期間）を第２出力期間Ｐ２とする。なお、図４では、複数の第２負荷電流Ｉｄ２を互いに区別するために、Ｉｄ２（１）、Ｉｄ２（２）、Ｉｄ２（３）、Ｉｄ２（４）の符号をそれぞれ付している。
【００６２】
また、第２放電電流Ｉｃは、警報音の出力時に流れる第２放電電流Ｉｃ１、及び音声の出力時に流れる第２放電電流Ｉｃ２を含んでいる。すなわち、警報音の出力時に第２負荷電流Ｉｄ１及び第２放電電流Ｉｃ１が生じ、音声の出力時（第２出力期間Ｐ２）に第２負荷電流Ｉｄ２及び第２放電電流Ｉｃ２が生じる。第２放電電流Ｉｃ１のピーク値Ｉｐ５は、第２放電電流Ｉｃ２のピーク値Ｉｐ６より小さい。
【００６３】
そして、第２負荷電流Ｉｄ１、Ｉｄ２の各出力期間及び各時間間隔、第２放電電流Ｉｃ１、Ｉｃ２の各出力期間及び各時間間隔は、警報音及び音声の各出力期間及び各時間間隔にそれぞれ等しく（ほぼ等しく）なる。
【００６４】
ここで、警報音及び音声の各出力期間及び各時間間隔のそれぞれの規定値のうち、少なくとも１つの規定値は、固定値ではなく、所定範囲内の値であればよい。例えば、ＪＩＬ５５０２では、２回目の警報音と１回目の音声の時間間隔Ｔ１１は、３００ｍｓ±１０％であることが求められる。１回目の音声と２回目の音声の時間間隔Ｔ１２は、６００ｍｓ±１０％であることが求められる。２回目の音声と１回目の警報音の時間間隔Ｔ１３は、９００ｍｓ±１０％であることが求められる。すなわち、マイクロコントローラ１３１は、時間間隔Ｔ１１、Ｔ１２、Ｔ１３を、上述の各範囲内であればそれぞれ可変とすることができる。
【００６５】
そこで、マイクロコントローラ１３１は、光源５０が点灯状態になる第１出力期間Ｐ１と音声が出力される第２出力期間Ｐ２とが時間的に（時間軸方向に沿って）互いにずれるように（重複しないように）、時間間隔Ｔ１１、Ｔ１２、Ｔ１３を上述の各範囲内でそれぞれ調整する。この結果、マイクロコントローラ１３１は光源５０の点灯による第１負荷電流Ｉｂ１のピーク値Ｉｐ１の発生タイミングと、音声の出力による第２負荷電流Ｉｄ２のピーク値Ｉｐ４の発生タイミングとを互いにずらすことができる（重複しないようにできる）。具体的に、マイクロコントローラ１３１は、時間間隔Ｔ１１、Ｔ１２、Ｔ１３を上述の各範囲内でそれぞれ調整することで、光源５０の点灯による第１放電電流Ｉａ１のピーク値Ｉｐ２の発生タイミングと、音声の出力による第２放電電流Ｉｃ２のピーク値Ｉｐ６の発生タイミングとを互いに重複しないようにできる。
【００６６】
上述のように、マイクロコントローラ１３１は、規格又は法令によって求められている第１要件及び第２要件を満たすように、光源５０の点滅制御、及び誘導音の出力制御を行う。そして、マイクロコントローラ１３１は、光源５０が点灯する第１出力期間Ｐ１と音声が出力される第２出力期間Ｐ２とが互いに重複しないように、規格又は法令によって求められている第２要件を満たす各範囲内で、時間間隔Ｔ１１、Ｔ１２、Ｔ１３をそれぞれ調整する。この結果、光源５０の点灯による第１負荷電流Ｉｂ１のピーク値Ｉｐ１の発生タイミングと、音声の出力による第２負荷電流Ｉｄ２のピーク値Ｉｐ４の発生タイミングとが互いに重複しない。すなわち、光源５０の点灯による第１放電電流Ｉａ１のピーク値Ｉｐ２の発生タイミングと、音声の出力による第２放電電流Ｉｃ２のピーク値Ｉｐ６の発生タイミングとが互いに重複しない。したがって、総放電電流Ｉｉのピーク値をより小さくすることができる。
【００６７】
図４では、マイクロコントローラ１３１は、第２負荷電流Ｉｄ２（１）の出力期間が第１負荷電流Ｉｂ１（１）の出力期間に重複しないように、時間間隔Ｔ１１を調整している。さらに、マイクロコントローラ１３１は、第２負荷電流Ｉｄ２（２）の出力期間が第１負荷電流Ｉｂ１（２）の出力期間に重複しないように、時間間隔Ｔ１３を調整している。言い換えると、マイクロコントローラ１３１は、第２放電電流Ｉｃ２（１）の出力期間が第１放電電流Ｉａ１（１）の出力期間に重複しないように、時間間隔Ｔ１１を調整している。さらに、マイクロコントローラ１３１は、第２放電電流Ｉｃ２（２）の出力期間が第１放電電流Ｉａ１（２）の出力期間に重複しないように、時間間隔Ｔ１３を調整している。この場合、総放電電流Ｉｉのピーク値Ｉｐ１０は、第１放電電流Ｉａ１のピーク値Ｉｐ２と、第２放電電流Ｉｃ１のピーク値Ｉｐ５との和になる。
【００６８】
一方、図４では、本実施形態の比較例における第２負荷電流Ｉｄ、第２放電電流Ｉｃ、及び総放電電流Ｉｉの各波形を破線で示している。比較例では、第２負荷電流Ｉｄ２（３）の出力期間が第１負荷電流Ｉｂ１（１）の出力期間に重複し、第２負荷電流Ｉｄ２（４）の出力期間が第１負荷電流Ｉｂ１（２）の出力期間に重複している。言い換えると、本実施形態の比較例では、第２放電電流Ｉｃ２（３）の出力期間が第１放電電流Ｉａ１（１）の出力期間に重複し、第２放電電流Ｉｃ２（４）の出力期間が第１放電電流Ｉａ１（２）の出力期間に重複している。この場合、総放電電流Ｉｉのピーク値Ｉｐ２０は、第１放電電流Ｉａ１のピーク値Ｉｐ２と、第２放電電流Ｉｃ２のピーク値Ｉｐ６との和になる。
【００６９】
ピーク値Ｉｐ５はピーク値Ｉｐ６より小さいので、本実施形態における総放電電流Ｉｉのピーク値Ｉｐ１０は、比較例における総放電電流Ｉｉのピーク値Ｉｐ２０よりも小さくなる。すなわち、光源５０の点滅及び音声の出力に要する電池７０の総放電電流Ｉｉのピーク値をより低減できる。したがって、本実施形態において電池７０に要求される電池容量は、比較例において電池７０に要求される電池容量に比べて小さくなり、本実施形態は、電池７０の小型化及び低コスト化を図ることができる。
【００７０】
ここで、マイクロコントローラ１３１が時間間隔Ｔ１１、Ｔ１２、Ｔ１３をそれぞれ調整する際には、時間間隔Ｔ１１、Ｔ１２、Ｔ１３が第２要件を満たさなければならないという条件がある。しかしながら、時間間隔Ｔ１１、Ｔ１２、Ｔ１３が第２要件を満たすためには、第１出力期間Ｐ１と第２出力期間Ｐ２とを互いに重複させないように調整することが不可能になる場合がある。このような場合、マイクロコントローラ１３１は、図５に示す制御を行う。図５は、駆動装置１における各波形を示す。図５の１段目は第１負荷電流Ｉｂの波形を示し、図５の２段目は第２負荷電流Ｉｄの波形を示し、図５の３段目は第２放電電流Ｉｃの波形を示す。
【００７１】
時間間隔Ｔ１１、Ｔ１２、Ｔ１３が第２要件を満たすことを優先することで、第１出力期間Ｐ１と第２出力期間Ｐ２とが互いに重複してしまう場合、マイクロコントローラ１３１は、第２負荷電流Ｉｄとして、第２負荷電流Ｉｄ２の代わりに第２負荷電流Ｉｄ２０を流すように、音制御信号Ｙ２を生成する。第２負荷電流Ｉｄ２０のピーク値Ｉｐ４０は、第２負荷電流Ｉｄ２のピーク値Ｉｐ４より小さくなる。そして、第２負荷電流Ｉｄ２０が流れると、第２放電電流Ｉｃとして第２放電電流Ｉｃ２０が生じる。第２放電電流Ｉｃ２０のピーク値Ｉｐ６０は、第２放電電流Ｉｃ２のピーク値Ｉｐ６より小さくなる。したがって、総放電電流Ｉｉのピーク値は、第１放電電流Ｉａ１のピーク値Ｉｐ２と、第２放電電流Ｉｃ２０のピーク値Ｉｐ６０との和になり、総放電電流Ｉｉのピーク値を抑えることができる。
【００７２】
また、マイクロコントローラ１３１は、第１要件を満たす範囲内で第１出力期間Ｐ１及び点滅間隔Ｔ１の少なくとも１つを可変として、光源５０が点灯状態になる第１出力期間Ｐ１と、音声が出力される第２出力期間Ｐ２とが重複しないようにしてもよい。
【００７３】
また、マイクロコントローラ１３１は、第１要件を満たす範囲内で第１出力期間Ｐ１及び点滅間隔Ｔ１の少なくとも１つを可変とし、第２要件を満たす範囲内で時間間隔Ｔ１１、Ｔ１２、Ｔ１３の少なくとも１つを可変としてもよい。
【００７４】
また、上記では誘導音に含まれる警報音と音声のうち音声のみを対象音としているが、警報音及び音声の両方を対象音としてもよい。この場合、マイクロコントローラ１３１は、光源５０が点灯状態になる第１出力期間Ｐ１と、警報音及び音声が出力される各出力期間（第２出力期間）とが重複しないように、時間間隔Ｔ１１、Ｔ１２、Ｔ１３、第１出力期間Ｐ１及び点滅間隔Ｔ１の少なくとも１つを調整する。
【００７５】
（第１変形例）
第１変形例の駆動装置１及び非常用装置３の各構成は、上述の実施形態と同様に図１−図３で示される。なお、上述の実施形態と同様の構成には同一の符号を付して、説明は省略する。
【００７６】
マイクロコントローラ１３１は記憶部１３３を備える。記憶部１３３は、予め作成された光源５０の点滅パターン及び誘導音の出力パターンの各データを記憶している。光源５０の点滅パターンは、例えば図４の第１段の第１負荷電流Ｉｂの出力パターンと同様のパターンである。誘導音の出力パターンは、例えば図４の第３段の第２負荷電流Ｉｄの出力パターンと同様のパターンである。
【００７７】
そして、マイクロコントローラ１３１は、光源５０の点滅パターン及び誘導音の出力パターンの各データを記憶部１３３から読み出す。マイクロコントローラ１３１は、光源５０の点滅パターンのデータに基づいて、点滅制御信号Ｙ１を生成する。また、マイクロコントローラ１３１は、誘導音の出力パターンのデータに基づいて、音制御信号Ｙ２を生成する。
【００７８】
この結果、点滅回路１１は、点滅パターンにしたがって光源５０を点滅させ、音響回路１２（アンプ回路１２２）は、誘導音の出力パターンにしたがってスピーカ２１から誘導を間欠的に出力させることができる。
【００７９】
上述のように、第１変形例では、予め決められた光源５０の点滅パターン及び誘導音の出力パターンにしたがって、点滅制御及び誘導音の出力制御が行われる。この場合、マイクロコントローラ１３１は、予め決められた光源５０の点滅パターン及び誘導音の出力パターンを参照することで、第１出力期間Ｐ１と第２出力期間Ｐ２とが互いにずれるように演算処理を逐次実行する必要がない。したがって、マイクロコントローラ１３１の演算負荷をより低減することができる。
【００８０】
（第２変形例）
第２変形例の駆動装置１及び非常用装置３の各構成は、上述の実施形態と同様に図１−図３で示される。なお、上述の実施形態と同様の構成には同一の符号を付して、説明は省略する。
【００８１】
点滅制御が開始されてから第１定格時間が経過するまでは、光源５０の点滅動作は、規格及び法令などによって求められる第１要件（規定値など）を満たす必要がある。また、誘導音の出力動作が開始されてから第２定格時間が経過するまでは、誘導音の出力動作は、規格及び法令などによって求められる第２要件（規定値など）を満たす必要がある。
【００８２】
しかし、第１定格時間が経過した後は、光源５０の点滅動作は、第１要件を満たす必要がない。また、第２定格時間が経過した後は、誘導音の出力動作は、第２要件を満たす必要がない。
【００８３】
そこで、第２変形例のマイクロコントローラ１３１は、点滅制御が開始されてから第２定格時間が経過するまでの第１動作期間では、上述の実施形態または第１変形例と同様に光源５０の点滅制御及び誘導音の出力制御を行う。すなわち、第１動作期間では、第１要件及び第２要件をそれぞれ満たすように光源５０の点滅制御及び誘導音の出力制御が行われる。
【００８４】
そして、点滅制御が開始されてから第２定格時間が経過した後の第２動作期間では、光源５０の点滅制御及び誘導音の出力制御が第１要件及び第２要件をそれぞれ満たすことは必須ではない。そこで、マイクロコントローラ１３１は、光源５０が点灯状態になる第１出力期間Ｐ１と音声が出力される第２出力期間Ｐ２とが重複しないことを最優先にして、光源５０の点滅制御及び誘導音の出力制御を行う。この場合、第１出力期間Ｐ１と第２出力期間Ｐ２とが重複しないのであれば、光源５０の点滅動作及び誘導音の出力動作が第１要件及び第２要件をそれぞれ満たさなくてもよい。
【００８５】
したがって、駆動装置１は、第１動作期間では規格及び法令などを順守することを優先し、第２動作期間では総放電電流Ｉｉのピーク値を抑えることを優先する。この結果、規格及び法令などの順守と、電池７０の総放電電流Ｉｉのピーク値の抑制とを両立できる。さらに、駆動装置１は、電池７０のさらなる小型化及び低コスト化を図ることができる。
【００８６】
なお、制御回路１３は、外部電源の停電を自動的に検知することで得られる情報など、点滅指示信号及び誘導音指示信号以外の情報を取得することを所定の条件として、点滅制御、及び誘導音の出力制御を開始してもよい。
【００８７】
上述の実施形態及び各変形例のそれぞれでは、非常用装置３は、表示ユニット４及び点滅光源ユニット５の両方を備えているが、これに限定する趣旨ではない。例えば、非常用装置３は、表示ユニット４を備えていなくてもよい。
【００８８】
以上述べたように、第１の態様に係る駆動装置（１）は、点滅回路（１１）と、音響回路（１２）と、制御回路（１３）と、を備える。点滅回路（１１）は、電池（７０）を電源として光源（５０）を点滅させる。音響回路（１２）は、電池（７０）を電源としてスピーカ（２１）から対象音を間欠的に出力させる。制御回路（１３）は、点滅回路（１１）及び音響回路（１２）をそれぞれ制御して、光源（５０）が点灯状態になる第１出力期間（Ｐ１）とスピーカ（２１）が対象音を出力する第２出力期間（Ｐ２）とを互いにずらす。
【００８９】
上述の駆動装置（１）は、光源（５０）の点滅及び音声の出力に要する電池（７０）の総放電電流（Ｉｉ）のピーク値をより低減できる。したがって、駆動装置（１）は、電池（７０）に要求される電池容量を従来に比べて小さくでき、電池（７０）の小型化及び低コスト化を図ることができる。
【００９０】
第２の態様に係る駆動装置（１）では、第１の態様において、制御回路（１３）は、第１出力期間（Ｐ１）と第２出力期間（Ｐ２）とを互いにずらすことが好ましい。制御回路（１３）は、前記光源の点灯によって前記電池の放電電流のピーク値が発生するタイミングと前記スピーカが前記対象音を出力することによって前記電池の放電電流のピーク値が発生するタイミングとを互いにずらす。
【００９１】
上述の駆動装置（１）では、光源（５０）の点灯による放電電流（Ｉａ１）のピーク値（Ｉｐ２）の発生タイミングと、音声の出力による放電電流（Ｉｃ２）のピーク値（Ｉｐ６）の発生タイミングとが互いに重複しない。したがって、電池（７０）の総放電電流（Ｉｉ）のピーク値をより小さくすることができる。したがって、駆動装置（１）は、電池（７０）の小型化及び低コスト化を図ることができる。
【００９２】
第３の態様に係る駆動装置（１）は、第１又は第２の態様において、制御回路（１３）をさらに備えることが好ましい。制御回路（１３）は、光源（５０）の点滅間隔（Ｔ１）とスピーカ（２１）が対象音を出力する時間間隔（Ｔ１１，Ｔ１２，Ｔ１３）との少なくとも一方を可変とすることで、第１出力期間（Ｐ１）と第２出力期間（Ｐ２）とを互いにずらす。
【００９３】
上述の駆動装置（１）は、第１出力期間（Ｐ１）と第２出力期間（Ｐ２）とが互いにずれるように演算処理を逐次実行することで、電池（７０）の総放電電流（Ｉｉ）のピーク値をより小さくすることができる。
【００９４】
第４の態様に係る駆動装置（１）は、第１又は第２の態様において、記憶部（１３３）をさらに備えることが好ましい。記憶部（１３３）は、予め作成された光源（５０）の点滅パターン及び対象音の出力パターンの各データを記憶する。制御回路（１３）は、光源（５０）の点滅パターンにしたがって光源（５０）が点滅するように点滅回路（１１）を制御し、対象音の出力パターンにしたがって対象音が間欠的に出力するように音響回路（１２）を制御する。
【００９５】
上述の駆動装置（１）は、演算負荷をより低減することができる。
【００９６】
第５の態様に係る駆動装置（１）では、第１乃至第４の態様のいずれか一つにおいて、制御回路（１３）は、光源（５０）の点滅動作が予め決められた第１要件を満たし、かつ対象音の出力動作が予め決められた第２要件を満たすように、第１出力期間（Ｐ１）と第２出力期間（Ｐ２）とをそれぞれ設定することが好ましい。
【００９７】
上述の駆動装置（１）は、規格及び法令などを順守して、光源（５０）の点滅動作及び音の出力動作を実行できる。
【００９８】
第６の態様に係る駆動装置（１）では、第５の態様において、点滅回路（１１）及び音響回路（１２）を動作させるイベントが発生してから所定時間（定格時間）が経過するまでの期間が第１動作期間であり、第１動作期間以降の所定期間が第２動作期間である。制御回路（１３）は、第１動作期間では、光源（５０）の点滅動作が第１要件を満たし、かつ対象音の出力動作が第２要件を満たすように、第１出力期間（Ｐ１）と第２出力期間（Ｐ２）とを互いにずらすことが好ましい。また、制御回路（１３）は、第２動作期間では、第１出力期間（Ｐ１）と第２出力期間（Ｐ２）とを互いにずらすことが好ましい。
【００９９】
上述の駆動装置（１）は、第１動作期間では規格及び法令などを順守することを優先し、第２動作期間では電池（７０）の総放電電流（Ｉｉ）のピーク値を抑えることを優先することができる。この結果、規格及び法令などの順守と、電池（７０）の総放電電流（Ｉｉ）のピーク値の抑制とを両立できる。さらに、駆動装置（１）は、電池（７０）のさらなる小型化及び低コスト化を図ることもできる。
【０１００】
第７の態様に係る駆動装置（１）では、第５または第６の態様において、制御回路（１３）は、光源（５０）の点滅動作が第１要件を満たし、かつ対象音の出力動作が第２要件を満たすように、第１出力期間（Ｐ１）と第２出力期間（Ｐ２）とを互いにずらすことができない場合、第１出力期間（Ｐ１）と第２出力期間（Ｐ２）との重複期間の少なくとも一部では、対象音の音圧レベルを低下させることが好ましい。
【０１０１】
上述の駆動装置（１）は、電池（７０）の総放電電流（Ｉｉ）のピーク値を抑えることができる、したがって、駆動装置（１）は、電池（７０）のさらなる小型化及び低コスト化を図ることができる。
【０１０２】
第８の態様に係る非常用装置（３）は、第１乃至第７のいずれか一つの駆動装置（１）と、電池（７０）と、光源（５０）と、スピーカ（２１）と、筐体（３０）と、を備える。筐体（３０）は、駆動装置（１）、電池（７０）、及びスピーカ（２１）のうち少なくとも駆動装置（１）を収容する。
【０１０３】
上述の非常用装置（３）は、光源（５０）の点滅及び音声の出力に要する電池（７０）の総放電電流（Ｉｉ）のピーク値をより低減できる。したがって、非常用装置（３）は、電池（７０）に要求される電池容量を従来に比べて小さくでき、電池（７０）の小型化及び低コスト化を図ることができる。
【０１０４】
第９の態様に係るプログラムは、電池（７０）を電源として、光源（５０）を点滅させ、スピーカ（２１）から対象音を間欠的に出力させる駆動装置（１）が有するコンピュータ（マイクロコントローラ１３１）が実行する。プログラムは、光源（５０）が点灯状態になる第１出力期間（Ｐ１）とスピーカ（２１）が対象音を出力する第２出力期間（Ｐ２）とを互いにずらす機能をコンピュータに実現させる。
【０１０５】
上述のプログラムは、光源（５０）の点滅及び音声の出力に要する電池（７０）の総放電電流（Ｉｉ）のピーク値をより低減できる。したがって、プログラムは、電池（７０）に要求される電池容量を従来に比べて小さくできる。したがって、駆動装置（１）は、電池（７０）の小型化及び低コスト化を図ることができる。
【０１０６】
なお、上述の実施形態及び各変形例は本開示の一例である。このため、本開示は、上述の実施形態及び各変形例に限定されることはなく、これらの実施形態及び各変形例以外であっても、本開示に係る技術的思想を逸脱しない範囲であれば、設計等に応じて種々の変更が可能であることは勿論である。
【符号の説明】
【０１０７】
１  駆動装置
３  非常用装置
１１  点滅回路
１２  音響回路
１３  制御回路
２１  スピーカ
３０  筐体
５０  光源
７０  電池
１３３  記憶部
Ｐ１  第１出力期間
Ｐ２  第２出力期間
Ｉａ１  第１放電電流（放電電流）
Ｉｃ２  第２放電電流（放電電流）
Ｉｐ２  ピーク値
Ｉｐ６  ピーク値
【図１】
2020004623.tif 000003
【図２】
2020004623.tif 000004
【図３】
2020004623.tif 000005
【図４】
2020004623.tif 000006
【図５】
2020004623.tif 000007